(57)【要約】【課題】什器を組み立てる什器構成材に複雑な加工をせず、什器組み立て用結合具同士の結合力の強い什器用結合具を提供する。【解決手段】本考案の什器組み立て用結合具は合成樹脂材でできており、第１の什器構成材Ａに螺着した第１の結合具１と第２の什器構成材Ｂに螺着した第２の結合具２とを結合させて什器を組み立てる什器用結合具であり、第１の結合具１は什器構成材Ａに螺着する凸部材３とこの凸部材から螺着する方向と交差する方向に延びる一対のＵ字状のアーム５とこのアーム５の先端に凸部材３と反対方向に突出した突起６とからなり、第２の結合具２は什器構成材Ｂに螺着する部材で凸部材３を収容するための開口部１１とアーム５を嵌め込むための一対のガイド壁１０を形成した開口部１１とこの開口部１１の隅部に形成した突起６を係合する凹部１２からなる。【選択図】図１
0003138471.tif 000002
【実用新案登録請求の範囲】
【請求項１】
第１の什器構成材Ａに螺着した第１の結合具１と第２の什器構成材Ｂに螺着した第２の結合具２とを結合させて什器を組み立てる什器用結合具において、第１の結合具１は合成樹脂材でできており、什器構成材Ａに螺着する凸部材３とこの凸部材から螺着する方向と交差する方向に延びる一対のＵ字状のアーム５とこのアーム５の先端に凸部材３と反対方向に突出した突起６とからなり、第２の結合具２は什器構成材Ｂに螺着する部材であって合成樹脂材でできており、凸部材３を収容するための開口部１１とアーム５を嵌め込むための一対のガイド壁１０を形成した開口部１１とこの開口部１１の隅部に形成した突起６を係合する凹部１２からなることを特徴とする什器組み立て用結合具。
【請求項２】
第１の結合具１が合成樹脂のジュラコンでできており、その凸部材３が直方形でアーム５と交差する方向に螺子嵌挿孔４を形成したことを特徴とする請求項１記載の什器組み立て用結合具。
【考案の詳細な説明】
【技術分野】
【０００１】本考案は、本棚、食器棚や陳列棚などの什器を組み立てる場合に使用する什器組み立て用結合具に関する。
【背景技術】
【０００２】従来、本棚、食器棚や陳列棚などの什器を組み立てる場合に使用する什器組み立て用結合具として、特許文献１のような係合突出部４に膨張部５を形成した棚板受具１と、棚板７の端面に形成した嵌合溝８とからなる提案がされている。【０００３】また、この特許文献１の提案では、嵌合溝８の終端部に凹陥部９を形成して凹陥部９に膨張部５を係合して棚板受具１と嵌合溝８とを結合させる。【０００４】
【特許文献１】実開昭５０−３７７１６号公報の第１図から第３図
【考案の開示】
【考案が解決しようとする課題】
【０００５】しかし、上記特許文献１の提案では、棚板７の端面に嵌合溝８および凹陥部９を形成するための加工に手間がかかるという問題がある。【０００６】そこで、本考案は、上記問題点を解消して什器を組み立てる場合に使用する什器組み立て用結合具を手間のかからない加工で提供することを目的とする。
【課題を解決するための手段】
【０００７】本考案の什器組み立て用結合具は、第１の什器構成材Ａに螺着した第１の結合具１と第２の什器構成材Ｂに螺着した第２の結合具２とを結合させて什器を組み立てる什器用結合具において、第１の結合具１は合成樹脂材でできており、什器構成材Ａに螺着する凸部材３とこの凸部材から螺着する方向と交差する方向に延びる一対のＵ字状のアーム５とこのアーム５の先端に凸部材３と反対方向に突出した突起６とからなり、第２の結合具２は什器構成材Ｂに螺着する部材であって合成樹脂材でできており、凸部材３を収容するための開口部１１とアーム５を嵌め込むための一対のガイド壁１０を形成した開口部１１とこの開口部１１の隅部に形成した突起６を係合する凹部１２からなることを特徴とする。【０００８】さらに、本考案の什器組み立て用結合具は、前記第１の結合具１が合成樹脂のジュラコンでできており、その凸部材３が直方形でアーム５と交差する方向に螺子嵌挿孔４を形成したことを特徴とする。
【考案の効果】
【０００９】本考案の什器組み立て用結合具は合成樹脂材でできており、第１の什器構成材Ａに螺着した第１の結合具１と第２の什器構成材Ｂに螺着した第２の結合具２とを結合させて什器を組み立てる什器用結合具であり、第１の結合具１は什器構成材Ａに螺着する凸部材３とこの凸部材から螺着する方向と交差する方向に延びる一対のＵ字状のアーム５とこのアーム５の先端に凸部材３と反対方向に突出した突起６とからなり、第２の結合具２は什器構成材Ｂに螺着する部材で凸部材３を収容するための開口部１１とアーム５を嵌め込むための一対のガイド壁１０を形成した開口部１１とこの開口部１１の隅部に形成した突起６を係合する凹部１２からなるので、什器構成材に複雑な加工をせず、什器組み立て用結合具同士の結合力の強い什器組み立て用結合具を提供することができる。
【考案を実施するための最良の形態】
【００１０】本考案の什器として縦板と天板または棚板とからなる本棚を実施例とする図面に基づいて以下、説明する。【００１１】図９は本棚の縦板である第１の什器構成材Ａと天板または棚板である第２の什器構成材Ｂとを螺着して組み立てる本棚を示す。【００１２】図１から図３において、第１の結合具１は第１の什器構成材Ａ（図２の破線で示す）に螺着する合成樹脂のジュラコンでできている。この第１の結合具１は直方形の凸部材３を有し、この凸部材３の基部から一対のＵ字状のアーム５が延びており、その先端に凸部材３と反対方向に突出した突起６が形成されている。この突起６と交差する方向に螺子嵌挿孔４が形成されている。第２の結合具２は第２の什器構成材Ｂ（図３の破線で示す）に螺着する合成樹脂のＡＢＳ樹脂でできている。この第２の結合具２は第１の結合具１の凸部材３を収容する大きさのコ字状の開口部１１を有し、この側壁１３の下面には上記アーム５の肉厚程度に離間してプレート４が設けられている。この開口部１１の左右にはこのアーム５を嵌め込むことができる大きさの一対のガイド壁１０が形成されている。この開口部１１の隅部には、このアーム５の突起６が係合する凹部１２が形成されている。また、第２の結合具２の両側の表裏面には貫通した螺子嵌挿孔８が形成されている。【００１３】図４および図５において、本棚の縦板である第１の什器構成材Ａは横縁Ａ１と縦縁Ａ２からなる平板で、その平板の表面Ａ３には第２の什器構成材Ｂの数量に相当する４個の第１の結合具１の凸部材３の外形と略同じ形状の凹所Ａ１０が形成されている。第１の什器構成材Ａの表面Ａ３の凹所Ａ１０に図２に示す凸部材３を嵌め込んで螺子嵌挿孔４を介して螺子Ｃ１で第１の結合具１を第１の什器構成材Ａに螺着する。【００１４】図６および図７において、天板または棚板である第２の什器構成材Ｂにはその両端の端面Ｂ１にそれぞれ２個の第２の結合具２の外形と略同じ形状の凹所Ｂ１０、Ｂ１０が形成されており、第２の什器構成材Ｂの各凹所Ｂ１０に図３に示す第２の結合具２を嵌め込んで螺子嵌挿孔８を介して螺子Ｃ２で第２の結合具２を第２の什器構成材Ｂに螺着する。【００１５】図８は、縦板である第１の什器構成材Ａと第２の什器構成材Ｂを棚板として破線で示す第１の結合具１と第２の結合具２とを結合させた状態の部分図であり、図９は図１０のＸ方向からみた第１の結合具１と第２の結合具２とを結合させた状態で、破線で示す第１の什器構成材Ａを取り除いた状態の拡大図である。図９に示すように第１の什器構成材Ａに螺着した第１の結合具１と第２の什器構成材に螺着した第２の結合具２とを結合させて第１の什器構成材Ａと第２の什器構成材Ｂとを結合させて、同様に順番に組み立てて図１０に示す什器ができあがる。
【図面の簡単な説明】
【００１６】
【図１】本考案の什器組み立て用結合具の実施形態を示す斜視図である。
【図２】本考案の第１の結合具の実施形態を示す平面図である。
【図３】本考案の第２の結合具を示す平面図である。
【図４】本考案の第１の什器構成材の正面図である。
【図５】図４のＰ−Ｐ断面図である。
【図６】本考案の第２の什器構成材の正面図である。
【図７】図６のＱ−Ｑ断面図である。
【図８】本考案の実施形態の縦板と棚板とｗ第１の結合具１と第２の結合具２にて結合させた状態の部分図である。
【図９】本考案の第１の結合具と第２の結合具との結合状態を示す断面図である。
【図１０】本考案の什器として本棚を示す斜視図である。
【符号の説明】
【００１７】  １  第１の結合具
２  第２の結合具
３  凸部材
４  螺子嵌挿孔
５  アーム
６  突起
７  第２の結合具本体
８  螺子嵌挿孔
９  ガイドベース
１０  ガイド壁
１１  開口部
Ａ  第１の什器構成材
Ｂ  第２の什器構成材
【図１】
0003138471.tif 000003
【図２】
0003138471.tif 000004
【図３】
0003138471.tif 000005
【図４】
0003138471.tif 000006
【図５】
0003138471.tif 000007
【図６】
0003138471.tif 000008
【図７】
0003138471.tif 000009
【図８】
0003138471.tif 000010
【図９】
0003138471.tif 000011
【図１０】
0003138471.tif 000012